(57)【要約】【課題】    音量等の０ｄＢ側又は∞側においてスライダが導体部から抵抗部へ入る距離を操作者により任意に設定できるスライダ位置調整機能付きフェーダ装置を提供する．【解決手段】    互いに平行に延びる抵抗体１２ａ及び集電体１２ｂを有する抵抗基板１２と、抵抗基板に沿って延びるガイドバー１４と、該ガイドバーに摺動自在に案内され、抵抗体及び集電体に接触して摺動するブラシを有するスライダ１６と、該スライダに固定され外部まで延びる操作レバー１８と、を備えるフェーダ装置１０であって、前記スライダの移動限界位置を調整可能にする限界位置調整機構２０が設けられている。【選択図】  図１
2006165144.tif 000002
【特許請求の範囲】
【請求項１】
互いに平行に延びる抵抗体及び集電体を有する抵抗基板と、抵抗基板に沿って延びるガイドバーと、該ガイドバーに摺動自在に案内され、抵抗体及び集電体に接触して摺動するブラシを有するスライダと、該スライダに固定され外部まで延びる操作レバーと、を備えるフェーダ装置であって、
前記スライダの移動限界位置を調整可能にする限界位置調整機構が設けられていることを特徴とするスライダ位置調整機能付きフェーダ装置。
【請求項２】
前記限界位置調整機構は、ガイドバーに螺合することでガイドバーに対して移動可能であり前記スライダの移動を係止する係止部材を有することを特徴とする請求項１に記載のスライダ位置調整機能付きフェーダ装置。
【請求項３】
前記係止部材には、スライダーが衝突する位置に緩衝材が設けられていることを特徴とする請求項２に記載のスライダ位置調整機能付きフェーダ装置。
【請求項４】
前記係止部材は中心に貫通孔が形成された調整ナットであり、該貫通孔は前記ガイドバーに螺合しており、
前記調整ナットの外周面には所定間隔で複数の溝が形成されていることを特徴とする請求項２又は３に記載のスライダ位置調整機能付きフェーダ装置。
【請求項５】
前記抵抗基板、ガイドバー、スライダ及び操作レバーを内部に収容するケースを備え、
該ケースには、前記調整ナットの外周面に対向する所定位置に開口が形成されていることを特徴とする請求項４に記載のスライダ位置調整機能付きフェーダ装置。
【請求項６】
前記ケースには、前記調整ナットの外周面に接触して調整ナットの回転を抑制するブレーキ材が取り付けられていることを特徴とする請求項３、４又は５に記載のスライダ位置調整機能付きフェーダ装置。
【請求項７】
前記抵抗基板、ガイドバー、スライダ、及び操作レバーを内部に収容するケースを備え、
前記限界位置調整機構は、
ガイドバーに移動可能に係合してスライダの移動を係止し、ケース外部まで延びている延出部を有する係止部材と、
ガイドバーの軸方向と平行に前記ケースに形成されたガイドスリットと、
ガイドバーの軸方向と垂直に延び所定の間隔で前記ケースに形成された複数の係止スリットとから構成され、
前記係止部材の延出部は、前記ガイドスリット又は係止スリットからケース外部へ延びており、
前記延出部は前記ガイドスリットと複数の係止スリットとの間で移動できるように、ガイドスリットは前記複数の係止スリットと結合されていることを特徴とする請求項１に記載のスライダ位置調整機能付きフェーダ装置。
【請求項８】
前記スライドとガイドバーとの摺動抵抗を可変に調整する摺動抵抗調整機構を更に備え、
該摺動抵抗調整機構は、ガイドバーに対向する位置に設けられた貫通雌ネジ部と、該貫通雌ネジ部と螺合し先端部がガイドバーを押圧する雄ネジ部材とからなる、ことを特徴とする請求項１乃至７のいずれかに記載のスライダ位置調整機能付きフェーダ装置。
【請求項９】
前記摺動抵抗調整機構は、前記雄ネジ部材とガイドバーとの間に設けられたブレーキ部材をさらに有することを特徴とする請求項８に記載のスライダ位置調整機能付きフェーダ装置。
【発明の詳細な説明】
【技術分野】
【０００１】
本発明は、ディスクジョッキー等において多チャンネルのオリジナル音をミクシングする際の音量調整や、劇場等での照明の光量調整に使用されるフェーダ（ｆａｄｅｒ）又はフェーダ装置に関する。特に、本発明は、音量調整又は光量調整用のスライダを手動で移動させる時に、音量等の０ｄＢ側又は∞側において、スライダが抵抗体の導体部から抵抗部に入る距離を任意に設定できるフェーダ又はフェーダ装置に関する。
【背景技術】
【０００２】
フェーダは、手動で操作するマニュアルフェーダとモータで駆動可能なモータフェーダに大別することができ、それぞれ直線型と回転型とがある。
【０００３】
マニュアルフェーダは、直線状の抵抗器とこの上を摺動する摺動子とからなり、摺動子を手動で移動させることにより抵抗器の一端から摺動子までの抵抗値を変化させるようになっている。モータフェーダは、マニュアルフェーダをモータで駆動可能にしたものであり、ムービングフェーダとも呼ばれる。
【０００４】
図７は、従来の直線型マニュアルフェーダの一例を示す模式図である。この図において、５１はケース、５２はケースの長手方向に固定された抵抗板、５３は平行に配置された２本のガイドバー５４に摺動自在にガイドされたスライダ、５５はスライダに固定されたノブアームである。
【０００５】
抵抗板５２の片面には直線状の抵抗体５２ａと集電電極体５２ｂが平行に印刷されている。またスライダ５３の抵抗板５２に面する側に抵抗体５２ａと集電電極体５２ｂと接触して摺動するブラシ（図示せず）が取り付けられている。
【０００６】
さらにノブアーム５５の先端にはノブ５５ａが取り付けられ、このノブを手で動かしてスライダ５３を摺動させ、ブラシを抵抗体５２ａと集電電極体５２ｂ上で移動させることにより、希望する抵抗値を得ることができる。
【０００７】
なお、かかるフェーダ装置に関し、特許文献１、２、等が既に開示されている。
【０００８】
特許文献１の「直線型フェーダ装置」は、ガイド孔から埃が侵入して露出状態の抵抗板およびブラシに付着して接触不良を起こすのを防止するために、図８に示すように、ケースに対してガイドバー６４により平行移動するスライダ６３と、ケースに取り付けられ軸受け管の回転により抵抗値が変化する密閉構造の可変抵抗６８と、軸受け管に取り付けられた軸心プーリ６９と、軸心プーリとスライダおよび複数のプーリ６６の間に巻回され、スライダの移動によって回転するベルト６７とを具備したものである。
【０００９】
また、特許文献２の「フェーダー装置」は、フェーダーレバーの調整感を向上させ、操作時のバックラッシュを軽減することを目的とし、図９に示すように、回転するフェーダーレバー７１と、回転により抵抗値が変化する可変抵抗手段７２と、ベルト部材でフェーダーレバーから可変抵抗手段へ回転伝動するベルト手段７３とを備えたものである。なお７４は、フェーダーレバー７１に直結した回転ドラムである。
【００１０】
【特許文献１】特開平９−１７１９１０号公報
【特許文献２】特開２００１−２８４１０６号公報
【発明の開示】
【発明が解決しようとする課題】
【００１１】
ディスクジョッキー等におけるミクシング操作や、劇場等での照明の光量調整等では、多チャンネルに配列した多数のフェーダ装置を音楽や演劇に合わせて、常時頻繁に操作する必要がある。そのため、複数のフェーダ装置の操作感を操作者の好みに合わせて微調整することが望まれていた。特に、音量や光量の０ｄＢ側と∞側においてスライダが抵抗体の導体部から抵抗部へ入る距離によってオンオフスイッチ感覚又は音量増加感覚が異なったものになり、このオンオフスイッチ感覚又は音量増加感覚を操作者の好みに合わせて微調整することが望まれていた。
【００１２】
しかし、従来のフェーダ装置は、マニュアルフェーダもモータフェーダも、音量等の０ｄＢ側と∞側において導体部から抵抗部へ入る距離は一定に設定されており、この距離を調整できないという問題点があった。
【００１３】
そこで、本発明の目的は、音量等の０ｄＢ側又は∞側においてスライダが導体部から抵抗部へ入る距離を操作者により設定できるスライダ位置調整機能付きフェーダ装置を提供することにある。  
【課題を解決するための手段】
【００１４】
本発明によると、互いに平行に延びる抵抗体及び集電体を有する抵抗基板と、抵抗基板に沿って延びるガイドバーと、該ガイドバーに摺動自在に案内され、抵抗体及び集電体に接触して摺動するブラシを有するスライダと、該スライダに固定され外部まで延びる操作レバーと、を備えるフェーダ装置であって、前記スライダの移動限界位置を調整可能にする限界位置調整機構が設けられていることを特徴とするスライダ位置調整機能付きフェーダ装置が提供される（請求項１）。
【００１５】
これにより、スライダの移動限界位置を調整できるので、スライダのブラシの接触箇所が抵抗体の導体部から抵抗部になるまでの距離を調整できる。従って、操作者は好みのオンオフスイッチ感覚又は音量増加感覚を得ることができる。
【００１６】
本発明の好ましい実施形態によると、前記限界位置調整機構は、ガイドバーに螺合することでガイドバーに対して移動可能であり前記スライダの移動を係止する係止部材を有する（請求項２）。
【００１７】
これにより、ガイドバーと係止部材とを螺合させて限界位置調整機構を構成したので、簡単な構成でスライダの移動限界位置を任意に調整できる。
【００１８】
好ましくは、前記係止部材には、スライダーが衝突する位置に緩衝材が設けられている（請求項３）。
【００１９】
これにより、スライダが係止部材に衝突した時の衝撃を緩衝材により吸収することができる。
【００２０】
好ましくは、前記係止部材は中心に貫通孔が形成された調整ナットであり、該貫通孔は前記ガイドバーに螺合しており、前記調整ナットの外周面には所定間隔で複数の溝が形成されている（請求項４）。
【００２１】
調整ナットの外周面には複数の溝が形成されているので、例えば調整棒をこれらの溝に係合させて調整ナットを回転させてその位置を調整することができる。
【００２２】
また、好ましくは、前記抵抗基板、ガイドバー、スライダ及び操作レバーを内部に収容するケースを備え、該ケースには、前記調整ナットの外周面に対向する所定位置に開口が形成されている（請求項５）。
【００２３】
ケースには調整ナットの外周面に対向する位置に開口が形成されているので、この開口を通して調整ナットを回転させることができる。従って、フェーダ装置を分解することなく調整ナットの位置を調整することができる。
【００２４】
好ましくは、前記ケースには、前記調整ナットの外周面に接触して調整ナットの回転を抑制するブレーキ材が取り付けられている（請求項６）。
【００２５】
調整ナットの回転を抑制するブレーキ材が設けられるので、位置調整をした後で、調整ナットの位置がずれるのを抑制することができる。
【００２６】
本発明の別の実施形態によると、前記抵抗基板、ガイドバー、スライダ、及び操作レバーを内部に収容するケースを備え、前記限界位置調整機構は、ガイドバーに移動可能に係合してスライダの移動を係止し、ケース外部まで延びている延出部を有する係止部材と、ガイドバーの軸方向と平行に前記ケースに形成されたガイドスリットと、ガイドバーの軸方向と垂直に延び所定の間隔で前記ケースに形成された複数の係止スリットとから構成され、前記係止部材の延出部は、前記ガイドスリット又は係止スリットからケース外部へ延びており、前記延出部は前記ガイドスリットと複数の係止スリットとの間で移動できるように、ガイドスリットは前記複数の係止スリットと結合されていることを特徴とする請求項１に記載のスライダ位置調整機能付きフェーダ装置が提供される（請求項７）。
【００２７】
これにより、操作者は単に係止部材の延出部を操作して係止部材をいずれかの係止スリット内に移動だけで、係止部材の位置を調整できる。従って、簡単な操作でスリットの移動限界位置を調整でき、好みのオンオフスイッチ感覚又は音量増加感覚を得ることができる。
【００２８】
本発明の好ましい実施形態によると、前記スライドとガイドバーとの摺動抵抗を可変に調整する摺動抵抗調整機構を更に備え、該摺動抵抗調整機構は、ガイドバーに対向する位置に設けられた貫通雌ネジ部と、該貫通雌ネジ部と螺合し先端部がガイドバーを押圧する雄ネジ部材とからなる（請求項８）。
【００２９】
限界位置調整機構だけでなく摺動抵抗調整機構もがフェーダ装置に設けられるので、オンオフスイッチ感覚だけでなく摺動抵抗又は摺動トルクをも調整できる。従って、操作者はより自分の好みに合った操作感覚を得ることができる。
【００３０】
好ましくは、前記摺動抵抗調整機構は、前記雄ネジ部材とガイドバーとの間に設けられたブレーキ部材をさらに有する（請求項９）。
【００３１】
ネジ部材とガイドバーとの間にブレーキ部材が設けられるので、摺動抵抗又は摺動トルクをより適切に調整することができる。
【発明を実施するための最良の形態】
【００３２】
本発明の好ましい実施形態を図面を参照して説明する。なお、各図において共通する部分には同一の符号を付し、重複した説明を省略する。
【００３３】
図１は、本発明の実施形態によるスライダ位置調整機能付きフェーダ装置を示す全体平面図である。
【００３４】
この例において、本発明のスライダ位置調整機能付きフェーダ装置は、直線型のマニュアルフェーダである。しかし、本発明はこれに限定されず、直線型のモータフェーダ、回転型のマニュアルフェーダ及びモータフェーダにも同様に適用することができる。以下、本発明のスライダ位置調整機能付きフェーダ装置付きを単に「フェーダ装置」と呼ぶ。
【００３５】
図１において、本発明のフェーダ装置１０は、ケース１１、抵抗基板１２、ガイドバー１４、スライダ１６及び操作レバー１８を備える。
【００３６】
ケース１１は、ケース本体１１ａとケースカバー１１ｂとからなる中空の容器（この例では矩形の箱型）であり、抵抗基板１２、ガイドバー１４、スライダ１６、及び操作レバー１８を内部に収容する。また、このケース１１は操作レバー１８を通す細長いスリット孔１１ｃを有し、このスリット孔１１ｃに沿って操作レバー１８を摺動でき、その位置に応じて後述する出力端子間の抵抗値を任意に変化させるようになっている。
【００３７】
また、操作レバー１８のケース外に延びた先端部には、ノブ１８ａが固定され、その調整操作を容易にしている。
【００３８】
更に、ケース内のスリット孔１１ｃの裏側には、図２に示すように、Ｌ字型に曲げられたシール板１１ｄが固定され、スリット孔１１ｃからの埃等の侵入を防止するようになっている。
【００３９】
抵抗基板１２は、平板状のプリント基板であり、その片面に互いに平行に延びる抵抗体１２ａ及び集電体１２ｂを有する。この例において、抵抗体１２ａ及び集電体１２ｂは、互いに平行に直線に延びる２対の直線抵抗体１２ａ及び直線集電体１２ｂである。また、抵抗基板１２には、複数の端子１２ｃが設けられ、直線抵抗体１２ａ及び直線集電体１２ｂの抵抗値と、後述するブラシを抵抗体と集電体上で移動させることにより、希望する抵抗値を検出できるようになっている。
【００４０】
なお、抵抗基板１２の構成は、この例に限定されず、周知のフェーダ装置の種々の回路構成にも同様に適用することができる。
【００４１】
ガイドバー１４は、抵抗基板１２のプリント基板を有する面に沿って延びる。この例において、ガイドバー１４は、抵抗基板１２に沿って互いに平行に延び、両端部がケース１１に固定された２本の平行な直線棒材１４ａ，１４ｂである。しかし、本発明はこれに限定されず、スライダ１６を案内できる任意の異形型材であってもよい。
【００４２】
スライダ１６は、図１、図２に示すように、ガイドバー１４（この例では平行な直線棒材１４ａ，１４ｂ）により、直線棒材１４ａ，１４ｂに沿って摺動自在に案内されている。また、このスライダ１６は、抵抗体及び集電体に接触して摺動するブラシ（図示せず）を有し、その摺動位置により、希望する抵抗値を端子１２ｃから出力するようになっている。
【００４３】
操作レバー１８は、スライダ１６にこの例では、２つのネジ１８ｂで一体に固定されている。また、この例で操作レバー１８は、図２に示すようにＬ字型に曲げられた部分がスリット孔１１ｃを通り、シール板１１ｄと干渉することなく、埃等の侵入を防止するようになっている。
【００４４】
本発明の実施形態によると、図１が示すようにスライダ１６の限界位置を調整可能にするための限界位置調整機構２０が設けられる。この限界位置調整機構２０は、ガイドバー１４ａの両端部に形成された雄ネジとこの雄ネジに螺合する雌ネジが形成された係合部材（例えば、調整ナット２１）により構成される。なお、ガイドバー１４ａの代わりにガイドバー１４ｂの両端部に限界位置調整機構をもうけてもよく、また、ガイドバーの一端部にのみ限界位置調整機構を設けてもよい。
【００４５】
図３及び図４はこの限界位置調整機構２０を詳細に示した斜視図である。
【００４６】
図３、図４の例では係止部材は調整ナット２１である。図３、図４が示すように、調整ナット２１の外周面には複数の溝２１ａが形成されている。操作者が、例えば調整バー２２をこの溝２１ａに係合させて調整ナット２１を回転させることができる。
【００４７】
図５はフェーダ装置１０にケースカバー１１ｂが取り付けられた状態を示す平面図である。図５が示すように、ケース外部から調整ナット２１の位置を調整するために、調整ナット２１の外周面に対向する所定位置に開口２３が形成される。この開口２３から調整バー２２を挿入して調整ナット２１の外周面に形成された溝２１ａに係合させて調整ナット２１を回転させ、調整ナット２１の位置を調整することができる。このように、フェーダ装置１０を分解することなく調整ナット２１の位置を調整することができる。
【００４８】
また、スライダ１６が調整ナット２１に衝突した時の衝撃を緩和するための緩衝材２５が、調整ナット２１に設けられる。図３は、緩衝材２５が取り付けられていない状態を示しており、図４は緩衝材２５が取り付けられた状態を示している。図４の例では、緩衝材２５は環状形のゴムなどであり、図３の段差２１ｂを利用して取り付けられる。なお、本発明によると、緩衝材２５は図４の例に限定されず衝撃を緩和できる他の適切なものであってもよい。
【００４９】
さらに、図１が示すように限界位置調整機構２０には、調整ナット２１の外周面に接触するようにブレーキ材２７が取り付けられている。このブレーキ材２７が調整ナット２１の外周面と接触することで、位置調整後の調整ナット２１部の回転を抑制する。これにより、調整ナット２１の位置を調整した後、調整ナット２１の位置がずれにくくなる。このブレーキ材２７の材質は例えばレジクエントであってよいが、これに限定されず調整ナット２１の位置ずれを抑制できる他の適切な材質であってもよい。
【００５０】
次に、限界位置調整機構２０によるオンオフスイッチ感覚又は音量増加感覚の調整について説明する。
【００５１】
スライダ１６の移動限界位置は調整ナット２１により定められる。即ち、音量調整又は光量調整の際、操作者が操作レバー１８を摺動させてスライダ１６を移動させるが、スライダ１６は調整ナット２１に衝突して係止される。従って、調整ナット２１の位置によりスライダ１６の移動限界位置が定められる。スライダ１６の移動限界位置を調整する場合は、上述のように調整バー２２を用いてガイドバーに螺合した調整ナット２１を回転させることで、調整ナット２１の位置を調整できる。従って、調整ナット２１の位置を調整することでスライダ１６の移動限界位置が定められる。
【００５２】
図１が示すように、平行板のプリント基板１２には、互いに平行に延びる２対の直線抵抗体１２ａ及び直線集電体１２ｂが形成されている。この直線抵抗体１２ａの両端部は導体部となっており、これら導体部に挟まれる部分は抵抗部となっている。上述したように操作レバー１８を摺動させてスライダ１６を移動させると、スライダ１６に取り付けられたブラシが直線抵抗体１２ａと直線集電体１２ｂに接触しながらスライダ１６と共に移動する。このスライダ１６の位置に従った抵抗値を得ることができる。
【００５３】
ここで、本発明の実施形態によると、スライダ１６はガイドバー１４ａの両端部に設けられた調整ナット２１の位置で係止させられる。操作者が操作レバー１８を摺動させて、調整ナット２１により係止させられている位置からスライダ１６を移動させ、スライダ１６のブラシを直線抵抗体１２ａの導体部から抵抗部へ接触させる。この時、スライダ１６のブラシの接触個所が直線抵抗体１２ａの導体部から抵抗部になるまでの距離は調整ネットの位置により定められる。
【００５４】
従って、調整ナット２１を回してその位置を調整することで、スライダ１６のブラシの接触箇所が直線抵抗体１２ａの導体部から抵抗部になるまでの距離を変更することができ、操作者は自分の好みに合ったオンオフスイッチ感覚又は音量増加感覚を得ることができる。
【００５５】
本発明によると、限界位置調整機構は調整ナット２１によるものに限定されず、同様の機能を有する他の機構であってもよい。
例えば、限界位置調整機構は図６に示されるものであってもよい。図６（Ａ）は平面図であり、図６（Ｂ）は図６（Ａ）のＡ−Ａ線矢視図であり、図６（Ｃ）及び図６（Ｄ）は図６（Ａ）のＢ−Ｂ線の断面図である。
【００５６】
図６の例では、限界位置調整機構３０は、ガイドバーに移動可能に係合してスライダ１６の移動を係止し、ケース外部まで延びている延出部３１ａを有する係止部材３１と、ガイドバーの軸方向と平行にケースに形成されたガイドスリット３２（図６（Ｂ）参照）と、ガイドバーの軸方向と垂直に延び所定の間隔でケースに形成された複数の係止スリット３３（図６（Ｂ）参照）とから構成される。係止部材３１は、例えば平板状の部材であり、その中心部付近に横長の貫通孔３４（図６（C）及び図６（Ｄ）参照）が形成される。この横長の貫通孔３４にはガイドバー１４ａが貫通している。
【００５７】
この限界位置調整機構３０の機能について説明する。
【００５８】
操作者は、係止部材３１に一体的に形成された延出部３１ａをガイドスリット３２を通してガイドレールの軸方向に移動させることができる。そして、所望の位置で延出部３１ａを係止スリット３３内に移動させる。これにより、係止部材３１をガイドレールの軸方向に固定することができる。なお、図６（Ｃ）及び図６（Ｄ）が示すように、係止部材３１の固定状態を維持するために、係止部材３１の横長の貫通孔３４には突出部３６が設けられることが好ましい。これにより、延出部３１ａ、即ち、係止部材３１を図６（Ｃ）の位置から図６（Ｄ）の位置へ移動させる時に突出部３６を乗り超えるのに若干の抵抗があるが、図６（Ｄ）の位置から係止部材３１がずれることが抑制される。なお、ガイドスリット３２及び係止スリット３３と鉛直方向に整合する位置に、係止部材３１の下部に係合する溝をケース１１に一体的に形成しておき、この溝とガイドスリット３２及び係止スリット３３によりガイドバー１４ａの軸方向に係止部材３１をケース１１に対して固定させることができる。
【００５９】
このように、図６の例でもスライドの移動を係止する係止部材３１の位置を調整することができる。これにより、操作者は、同様に自分の好みに合ったオンオフスイッチ感覚又は音量増加感覚を得ることができる。
【００６０】
本発明のフェーダ装置１０は、更に、スライダ１６とガイドバー（この例では直線棒材１４ａ）との摺動抵抗又は摺動トルクを可変に調整する摺動抵抗調整機構４０を有する。
【００６１】
図２に示すように、本発明において、スライダ１６は、ガイドバーの少なくとも一部（この例では直線棒材１４ｂ）を挟持する２枚の摺動挟持部１６ａ，１６ｂを有する。スライダ１６は、この例では、金属との摺動抵抗又は摺動トルクの小さい樹脂製であり、摺動挟持部１６ａ，１６ｂは、スライダ１６と一体に成形されている。なお、本発明はこの構成に限定されず、摺動挟持部１６ａ，１６ｂの一方又は両方を材料の異なる別部品として構成してもよい。
【００６２】
図２が示すように、摺動抵抗調整機構４０は、ガイドバー１４ａに対向する位置において操作レバー１８に設けられた貫通雌ネジ部１８ｂと、ガイドバーと接触するブレーキ板４３と、貫通雌ネジ部１８ｂと螺合し先端部がブレーキ板４３を押圧する雄ネジ部材４１とからなる。
【００６３】
この構成により、貫通雌ネジ部１８ｂと螺合する雄ネジ部材４１の先端部によるブレーキ板４３への押圧力を調整することで、ブレーキ板４３とガイドバー（この例では直線棒材１４ａ）との接触圧力を可変に調整する。これにより、摺動抵抗又は摺動トルクを微調整することができる。なお、図２のようにブレーキ材４３を収容するための凹部４４がスライダに設けられることが好ましい。
【００６４】
この雄ネジ部材４１は、そのネジ部にゆるみ止め用の弾性樹脂（例えばナイロン樹脂）が融着され、その弾性反発力で摩擦保持力を発生させてゆるみ止め効果を得るようになっている。更に、図２に示すように、雄ネジ部材４１は、雄ネジ部材を軸心を中心に回転させるための係合孔４１ａを有する。この係合孔は、六角孔又は矩形孔であるのが好ましいが、ドライバー用のプラス孔又はマイナス孔であってもよい。
【００６５】
図５に示すように、ケース１１は、そのカバー１１ｂに雄ネジ部材４１と整合する位置に貫通孔１１ｅを有する。この貫通孔１１ｅが形成される位置は、例えば図５が示すように操作レバー１８のストローク端、即ち、スライダ１６が係止部材である調整ナット２１に係止されている位置である。この場合に、貫通孔１１ｅは横長であるのが好ましい。貫通孔１１ｅを横長に形成することにより、調整ナット２１の位置をどの位置に調整しても係合孔４１ａをケース外部に露出させることができる。即ち、図５に示すように、操作レバー１８がストローク端に位置している状態で、ケースに設けられた貫通孔１１ｅを通して細長い調整バーを係合孔４１ａに係合させ調整バーを回転させて、摺動抵抗又は摺動トルクを自由に微調整できるように構成されている。
【００６６】
この構成により、スライダ１６の所定位置で、ケースに設けられた貫通孔１１ｅを通して細長い調整バーで、雄ネジ部材４１を回転させることができ、フェーダ装置１０を分解することなく、摺動抵抗又は摺動トルクを微調整することができる。なお、この摺動抵抗調整機構４０は、図１及び図５の限界位置調整機構２０と組み合わせる代わりに、図６の限界位置調整機構３０とも同様に組み合わせることができる。
【００６７】
なお、本発明は上述した実施形態に限定されず、本発明の要旨を逸脱しない範囲で種々に変更できることは勿論である。
【図面の簡単な説明】
【００６８】
【図１】本発明の実施形態によるフェーダ装置を示す全体平面図である。
【図２】図１のＡ-Ａ線における断面図である。
【図３】本発明の実施形態による限界位置調整機構を示す斜視図である。
【図４】図３の調整ナットに緩衝材が取り付けられた状態を示す斜視図である。
【図５】図１のフェーダ装置にケースカバーが取り付けられた状態を示す平面図である。
【図６】図６（Ａ）は本発明の別の実施形態によるフェーダ装置を示す全体平面図であり、図６（Ｂ）は図６（Ａ）のＡ−Ａ線矢視図であり、図６（Ｃ）及び図６（Ｃ）は図６（Ａ）のＢ−Ｂ線の断面図である。
【図７】従来の直線型マニュアルフェーダの一例を示す模式図である。
【図８】特許文献１の「直線型フェーダ装置」の模式図である。
【図９】特許文献２の「フェーダー装置」の模式図である。
【符号の説明】
【００６９】
１０  フェーダ装置
１１  ケース、１１ａ  ケース本体、１１ｂ  ケースカバー
１１ｃ  スリット孔、１１ｄ  シール板、１１ｅ  貫通孔
１２  抵抗基板、１２ａ  抵抗体、１２ｂ  集電体、１２ｃ  端子
１４  ガイドバー、１４ａ，１４ｂ  直線棒材
１６  スライダ、１６ａ，１６ｂ  摺動挟持部  
１８  操作レバー、１８ａ  ノブ、１８ｂ  貫通雌ネジ部
２０  限界位置調整機構
２１  調整ナット、２１ａ  溝
２２  調整バー
２３  開口
２５  緩衝材
２６  ブレーキ材
３０  限界位置調整機構
３１  係止部材、３１ａ  延出部
３２  ガイドスリット
３３  係止スリット
３４  貫通孔
３６  突出部
４０  摺動抵抗調整機構
４１  雄ネジ部材、４１ａ  係合孔
【図１】
2006165144.tif 000003
【図２】
2006165144.tif 000004
【図３】
2006165144.tif 000005
【図４】
2006165144.tif 000006
【図５】
2006165144.tif 000007
【図６】
2006165144.tif 000008
【図７】
2006165144.tif 000009
【図８】
2006165144.tif 000010
【図９】
2006165144.tif 000011